(57)【要約】【課題】低コストかつ簡単な構成で、充電媒体を収納する本体ケース内部の温度上昇を抑止して、二次電池のような充電媒体の寿命性能を向上できるソーラーバッテリーユニットを提供する。【解決手段】ソーラーパネル２と、ソーラーパネル２を支持し、ソーラーパネル２からの電力を蓄電する充電媒体１５を収納する本体ケース３と、本体ケース３の外周囲を覆うように形成された外周壁５と、ソーラーパネル２の底面２ａと本体ケース３の上面３ａとの間に設けられた空間部６とを備え、外周壁５には、空間部６への通気を行う複数の通気孔７が設けられている。【選択図】図３
2014150665.tif 000002
【特許請求の範囲】
【請求項１】
ソーラーパネルと、
ソーラーパネルを支持し、ソーラーパネルからの電力を蓄電する充電媒体を収納する本体ケースと、
前記本体ケースの外周囲を覆うように形成された外周壁と、
前記ソーラーパネルの底面と前記本体ケースの上面との間に設けられた空間部とを備え、
前記外周壁には、前記空間部への通気を行う複数の通気孔が設けられている、
ソーラーバッテリーユニット。
【請求項２】
請求項１において、
前記本体ケースの側面と前記外周壁との間に形成された隙間が下方に開口している、ソーラーバッテリーユニット。
【請求項３】
請求項１において、
前記本体ケースの内部が前記充電媒体および他の電子部品を個別に収納するように複数に区画されている、ソーラーバッテリーユニット。
【請求項４】
請求項１において、
前記空間部で、ソーラーパネルの底面と本体ケースの上面の少なくとも一方に、断熱材が設けられている、ソーラーバッテリーユニット。
【請求項５】
請求項１〜４のいずれか１項に記載のソーラーバッテリーユニットにより、検出ユニットが駆動される物体検出装置。
【発明の詳細な説明】
【技術分野】
【０００１】
本発明は、ソーラーパネルとその電力を蓄電する充電媒体とを有するソーラーバッテリーユニットに関し、特に二次電池のような充電媒体の寿命性能の向上に関する。
【背景技術】
【０００２】
従来から、太陽光を利用したソーラーパネルとその電力を蓄電する二次電池のような充電媒体とを有するソーラーバッテリーユニットが知られている。このソーラーバッテリーユニットは、例えばケース本体内に二次電池およびユニット全体を制御する制御部を収納する。
【０００３】
ソーラーパネルは太陽光を受熱するため、直射日光に本体ケースが晒されてケース本体内部の温度が上昇することにより、二次電池が早期に劣化してしまい耐久性が低いという問題がある。このため、従来から、ケース本体の側面に通気口を形成して、ケース本体内部を外気で換気することが知られている（例えば、特許文献１）
【先行技術文献】
【特許文献】
【０００４】
【特許文献１】特開平９−１６１１５７号公報
【発明の概要】
【発明が解決しようとする課題】
【０００５】
しかし、特許文献１では、依然として本体ケースは直射日光に晒されるため、通気口での換気だけでは、十分に温度上昇を抑止できない場合があり、二次電池の寿命性能を十分に向上することができなかった。また、本体ケースに設けられた通気口から、雨や虫が入り込む場合があり、防水性や防虫性の点からも問題があった。
【０００６】
本発明は、前記の問題点を解決して、ソーラーパネルからの電力を蓄電する充電媒体を収納する本体ケース内部の温度上昇を抑止して、充電媒体の寿命性能を向上できるソーラーバッテリーユニットを提供することを目的とする。
【課題を解決するための手段】
【０００７】
前記目的を達成するために、本発明の一構成にかかるソーラーバッテリーユニットは、ソーラーパネルと、ソーラーパネルを支持し、ソーラーパネルからの電力を蓄電する充電媒体を収納する本体ケースと、前記本体ケースの外周囲を覆うように形成された外周壁と、ソーラーパネルの底面と本体ケースの上面との間に設けられた空間部とを備え、前記外周壁には、前記空間部への通気を行う複数の通気孔が設けられている。ここで、充電媒体には、二次電池およびキャパシタが含まれる。
【０００８】
この構成によれば、ソーラーパネルと充電媒体を収納する本体ケースとの間に設けられた空間部により本体ケースを断熱でき、外周壁に設けられた通気孔により空間部を換気することによりその断熱効果を高めるとともに、外周壁はその壁面により本体ケースを遮光することにより、本体ケース内部の温度の上昇を抑止することが可能となる。また、外周壁の壁面は、本体ケース内部に対する防水性および防虫性を高める効果も有する。これにより、ソーラーパネルからの電力を蓄電する充電媒体を収納する本体ケース内部の温度上昇を抑止して、二次電池のような充電媒体の寿命性能を向上することができる。
【０００９】
本発明では、前記本体ケースの側面と前記外周壁との間に形成された隙間が下方に開口しているのが好ましい。したがって、隙間の下方から上方の空間部および通気孔へ空気の対流が可能となり、より本体ケース内部の温度上昇を抑止できる。
【００１０】
好ましくは、前記本体ケースの内部が前記２次電池および他の電子部品を個別に収納するように複数に区画されている。したがって、充電媒体や制御回路などを区画することにより、さらに本体ケースの断熱効果を高めることができる。
【００１１】
また、好ましくは、前記空間部で、ソーラーパネルの底面と本体ケースの上面の少なくとも一方に、断熱材が設けられている。したがって、本体ケースへの断熱効果をより高めることができる。
【００１２】
本発明の他の構成にかかる物体検出装置は、前記ソーラーバッテリーユニットにより、検出ユニットが駆動されるものである。この構成によれば、屋外の防犯センサに使用する物体検出装置では、駆動用電源を確保しにくい場合があるが、このソーラーバッテリーユニットは、充電媒体の寿命性能が高いので、物体検出装置の駆動用電源に十分に適用することができる。
【発明の効果】
【００１３】
本発明は、ソーラーパネルと充電媒体を収納する本体パネルとの間に設けられた空間部により本体ケースを断熱でき、外周壁に設けられた通気孔により空間部を換気することによりその断熱効果を高めるとともに、外周壁はその壁面により本体ケースを遮光することにより、本体ケース内部の温度の上昇を抑止することが可能となる。
【図面の簡単な説明】
【００１４】
【図１】本発明の一実施形態に係るソーラーバッテリーユニットを示す斜視図である。
【図２】図１のソーラーバッテリーユニットの一部破断した部分分解図である。
【図３】ソーラーバッテリーユニットを示す側面図である。
【図４】ソーラーバッテリーユニットを駆動用電源とした物体検出装置を示す斜視図である。
【発明を実施するための形態】
【００１５】
以下、本発明の実施形態を図面にしたがって説明する。図１は本発明の一実施形態に係るソーラーバッテリーユニット１を示す斜視図である。図２は、図１のソーラーバッテリーユニット１の背面側から見た一部破断した部分分解図である。図３は、図１のソーラーバッテリーユニット１の側面図である。
【００１６】
図１のソーラーバッテリーユニット１は、ソーラーパネル２、本体ケース３、および本体ケース３の外周囲を覆うように形成された外周壁５を有する本体１Ａを備えている。図３のように、本体ケース３は、略箱状の形状を有しており、ケース上面３ａを含む上半体ケース３Ａと、ケース底面３ｂを含む下半体ケース３Ｂとからなる。下半体ケース３Ｂに、ソーラーパネル２からの例えば直流電力を蓄電するニ次電池１５のような充電媒体およびユニット全体を制御する制御回路（制御基板）１６が収納されている。二次電池１５には例えばリチウムイオン電池が使用される。ソーラーパネル２の底面２ａと本体ケース３の上面３ａの間に設けられた複数の通気孔８により、ケース本体３外部と後述する空間部６とが挿通されている。
【００１７】
外周壁５はその壁面により本体ケース３を遮光することにより、本体ケース３内部の温度の上昇を抑止することが可能となる。また、外周壁５の壁面は、本体ケース３の外周囲を覆っているので、本体ケース３内部に対する防水性および防虫性を高める効果も有する。
【００１８】
ソーラーパネル２の底面２ａと本体ケース３のケース上面３ａとの間に空間部６が設けられている。この空間部６により、ソーラーパネル２が有する熱から本体ケース３を断熱できる。また、ソーラーパネル２の底面２ａと本体ケース３の上面３ａの間に複数の通気孔８が設けられている。図２のように、外周壁５には、空間部６に対向する位置に複数の通気孔７が設けられている。この例では、空間部６における空気の対流を促すために外周壁５の四面に通気孔７が設けられている。この通気孔７によって、通気孔８を介して空間部６へ外気が流入し空間部６を換気することによりその断熱効果を高めることができる。
【００１９】
外周壁５は、ソーラーパネル２の底面２ａに固定され、本体ケース３の側面と外周壁５との間に形成された隙間９は下方に開口している。この隙間９により、隙間９の下方から上方の空間部６および外周壁５の通気孔７へ空気の対流が可能となり、より本体ケース３内部の温度上昇を抑止できる。
【００２０】
図１のソーラーバッテリーユニット１は、さらに、本体１ＡをＲ方向に回動可能に支持する支持部１０と、ユニット固定用の取付部１１とを備えている。支持部１０のねじ１２からなる回転軸を中心に本体１ＡはＲ方向に回動し、ソーラーパネル２のソーラー面の角度を任意に可変できる。
【００２１】
図３のように、この例では、本体ケース３の内部は区画されていないが、二次電池１５や制御回路１６のような電子部品などを個別に収納するように複数に区画されていてもよい。この場合、二次電池１５や制御回路１６などを区画板３１（二点鎖線）で区画することにより、区画板３１で各部が断熱されて、本体ケース３の断熱効果をさらに高めることができる。
【００２２】
前記空間部６で、ソーラーパネル２の底面２ａと本体ケース３の上面３ａの少なくとも一方に、断熱材３２（二点鎖線）を設けてもよい。この場合、本体ケース３への断熱効果をより高めることができる。
【００２３】
このように、本発明では、ソーラーパネル２と二次電池１５を収納する本体ケース３との間に設けられた空間部６により本体ケース３を断熱でき、外周壁５に設けられた通気孔７により空間部６を換気することによりその断熱効果を高めるとともに、外周壁５はその壁面により本体ケース３を遮光することにより、本体ケース３内部の温度の上昇を抑止することができる。また、外周壁５の壁面は、本体ケース３内部に対する防水性および防虫性を高める効果も有する。これにより、ソーラーパネル２からの電力を蓄電する二次電池１５を収納する本体ケース３内の温度上昇を抑止して、二次電池１５の寿命性能の向上できる。
【００２４】
このソーラーバッテリーユニット１は、例えば物体検出装置２０の駆動用電源として使用することができる。この物体検出装置２０は例えば屋外に設置された防犯センサの物体検出に使用される。
【００２５】
図４のように、この物体検出装置２０は、例えば投光器２１と、この投光器２１と相対向して配置されて、投光器２１から投光された例えば２つの赤外線ＩＲのような検知線をそれぞれ受光する受光器２２とを有する検出ユニットを備えたＡＩＲ型（能動型）のものである。投光器２１および受光器２２は、それぞれポールＰ、壁等に装着される。図１のソーラーバッテリーユニット１の取付部１１が例えばポールＰの上端に装着される。
【００２６】
投光器２１は例えば上下一対の投光素子および投光レンズを有し、受光器２２は、上下一対の受光素子および受光レンズを有する。この物体検出装置２０は、例えば、物体検出信号として警報信号を出力する防犯センサに使用され、投光器２１および受光器２２内の図示しない制御部により、投光器２１からの赤外線ＩＲが物体により遮光されたとき、相対向する受光器２２で受信された検出信号の信号レベル（受光量）の変化により物体を検出して、警報信号を出力する。
【００２７】
このように、屋外の防犯センサに使用される物体検出装置２０では、駆動用電源を確保しにくい場合があるが、本発明では、二次電池の寿命性能が高いので、ソーラーバッテリーユニット１を物体検出装置２０の駆動用電源として十分に使用することができる。
【００２８】
なお、上記実施形態では、充電媒体として二次電池を使用しているが、キャパシタを使用してもよい。
【００２９】
なお、上記実施形態では、ＡＩＲ型の物体検出装置に適用しているが、ＰＩＲ型の物体検出装置に適用してもよい。また、検知線として赤外線を使用しているが、これに何ら限定されず、可視光線、マイクロウェーブ、レーザーなどを使用してもよい。
【符号の説明】
【００３０】
１：ソーラーバッテリーユニット
２：ソーラーパネル
３：本体ケース
５：外周壁
６：空間部
７：通気孔
８：通気孔
１５：充電媒体（二次電池）
１６：制御回路
２０：物体検出装置
２１：投光器
２２：受光器
【図１】
2014150665.tif 000003
【図２】
2014150665.tif 000004
【図３】
2014150665.tif 000005
【図４】
2014150665.tif 000006